(57)【要約】【課題】  虫取り用粘着シートの交換が容易で、誘引灯のメンテナンスが不要な捕虫器を提供することである。【解決手段】  一対の対向面が他の面より幅広に形成されると共に前記対向面の少なくとも一方の面が内周縁を有するように開口された筐体内に飛行性害虫を誘引する誘引光を発生する光源と、前記筐体の前記内周縁に突出係止具と、前記一方の面の前面に剛性を有する枠体とを備えたことを特徴とし、さらに、前記筐体の前記対向面の他方の面が内周縁を有するように開口されると共に前記内周縁に突出係止具と、前記他方の面の前面に剛性を有する枠体とを備えたことを特徴とする捕虫器。【選択図】        図１
2005304312.tif 000002
【特許請求の範囲】
【請求項１】
一対の対向面が他の面より幅広に形成されると共に前記対向面の少なくとも一方の面が内周縁を有するように開口された筐体内に飛行性害虫を誘引する誘引光を発生する光源と、前記筐体の前記内周縁に突出係止具と、前記一方の面の前面に剛性を有する枠体とを備えたことを特徴とする捕虫器。
【請求項２】
前記筐体の前記対向面の他方の面が内周縁を有するように開口されると共に前記内周縁に突出係止具と、前記他方の面の前面に剛性を有する枠体とを備えたことを特徴とする請求項１記載の捕虫器。
【請求項３】
前記突出係止具に係合する係合穴を有する剛性のある透明基材シートの一方の面に粘着剤層を形成した虫取り用粘着シートを前記粘着剤層が表出するように前記係合穴を前記突出係合具に係止させたことを特徴とする請求項１、２のいずれかに記載の捕虫器。
【発明の詳細な説明】
【技術分野】
【０００１】
本発明は、蝿や蚊等の飛行性昆虫や害虫を虫取り用粘着シートで捕獲する捕虫器に関するものである。
【背景技術】
【０００２】
従来から、蝿や蚊等の飛行性昆虫や害虫を光で誘引して捕獲する捕虫器が、色々と提案されている。その一つとして、誘引灯と粘着シートとからなる捕虫器が、利便性に優れると共に簡単な構成の割りに効率的に捕虫することができるなどの理由から各種施設で広く採用されている。
【０００３】
たとえば、特許文献１に記載された捕虫器は、縦断面略半円形状の本体の半円形状面（内面）に粘着体を備えると共に前記縦断面略半円形状の中心ないしはその近傍に前記本体と平行に配置した誘引灯を備えた構成からなり、前記誘引灯で蝿や蚊等の飛行性昆虫や害虫を誘引すると共に前記誘引灯で誘い寄せられた飛行性昆虫や害虫が捕虫器本体内に入ると、半円形状面に設けられた粘着体に粘着して捕獲されるというものである。
【０００４】
しかしながら、特許文献１に記載された捕虫器は、粘着体が誘引灯の背面に位置する構成からなるために、粘着体の交換が結構煩雑であるという問題や、誘引灯が露出しているために、誘い寄せられた飛行性昆虫や害虫が誘引灯に衝突してその死骸が付着して誘引灯の照度を落とし、誘引効率を低下させるという問題がある。
【０００５】
また、たとえば、特許文献２に記載された捕虫器は、略直方体形状の筐体に開口部が設けられると共に、かつ、一方の面に粘着剤が塗布された透明な虫取りシートが筐体内に収納された蛍光灯を周回するように、かつ、前記粘着剤面が前記開口部に位置するように設けられ、蛍光灯で蝿や蚊等の飛行性昆虫や害虫を誘引すると共に蛍光灯で誘い寄せられた飛行性昆虫や害虫が前記虫取りシートに衝突して粘着剤で粘着して捕獲されるというものであり、特許文献１のように誘い寄せられた飛行性昆虫や害虫が蛍光灯に衝突することがないために、蛍光灯の照度を落とすということがなく、これに関わるメンテナンスを不要にすると共に飛行性昆虫や害虫が付着した虫取りシートはロール状で供給されるために、排紙側の回動軸を回して虫取りシートを巻き取ることにより常に新しい粘着剤面を露出させることができるために、特許文献１の粘着体の交換とは比較にならないほどに楽なものである。しかしながら、粘着剤が塗布されたロール状の虫取りシートは、一般的に塗布量が多いために手で巻き取る場合には、幅が１００ｍｍのロールであっても至難であり、また、モーター駆動にするにしても相当なパワーが必要になると共に大型化は避けられず、コストアップに繋がると共に実用上は問題のあるものである。
【特許文献１】特許第２５９９１０１号公報
【特許文献２】実開平３−４１５８４号公報
【発明の開示】
【発明が解決しようとする課題】
【０００６】
そこで本発明は、虫取り用粘着シートの交換が容易で、誘引灯のメンテナンスが不要な捕虫器を提供することである。
【課題を解決するための手段】
【０００７】
本発明者は、上記課題を達成するために、請求項１記載の本発明の捕虫器は、一対の対向面が他の面より幅広に形成されると共に前記対向面の少なくとも一方の面が内周縁を有するように開口された筐体内に飛行性害虫を誘引する誘引光を発生する光源と、前記筐体の前記内周縁に突出係止具と、前記一方の面の前面に剛性を有する枠体とを備えたことを特徴とするものである。
【０００８】
また、請求項２記載の本発明は、請求項１記載の捕虫器において、前記筐体の前記対向面の他方の面が内周縁を有するように開口されると共に前記内周縁に突出係止具と、前記他方の面の前面に剛性を有する枠体とを備えたことを特徴とするものである。
【０００９】
また、請求項３記載の本発明は、請求項１、２のいずれかに記載の捕虫器において、前記突出係止具に係合する係合穴を有する剛性のある透明基材シートの一方の面に粘着剤層を形成した虫取り用粘着シートを前記粘着剤層が表出するように前記係合穴を前記突出係合具に係止させたことを特徴とするものである。
【発明の効果】
【００１０】
本発明の捕虫器は上記の構成とすることにより、虫取り用粘着シートの捕虫器への取り付けは捕虫器に設けた突出係止具に前記粘着シートに設けた係合穴を係止するだけであり、虫取り用粘着シートの交換も先に取り付けた前記虫取り用粘着シートを突出係止具から外すと共に、新しい虫取り用粘着シートを上記と同様に突出係止具に係止穴を係止することにより完了するために極めて容易であり、さらに虫取り用粘着シートを捕虫器の前面に設ける構成であるために、光源のメンテナンスについても不要なものとすることができ、さらにまた、虫取り用粘着シートの前面に剛性を有する枠体を備えているために粘着面が外的要因、たとえば、衣服等で粘着面を擦るなどして機能低下することを防止することができるなどの数々の効果を奏する。
【発明を実施するための最良の形態】
【００１１】
上記の本発明について、図面等を用いて以下に詳述する。
図１は本発明にかかる捕虫器の一実施例を示す正面図、図２は要部を示す図１のＸ−Ｘ線拡大断面図、図３は本発明にかかる虫取り用粘着シートの一実施例を図解的に示す斜視図、図４は本発明の捕虫器の使用状態の一実施例を示す斜視図、図５は枠体係止具の一実施例を示す斜視図であり、図中の１は虫取り用粘着シート、２は透明基材シート、３は粘着剤層、４は離型紙、５は係合穴、１０は捕虫器、１１は金属製矩形状筐体、１２は蛍光灯、１３は係合突出具、１４は略矩形状枠体、１５は枠体係止具、１６は蛍光灯支持具、１７はグロー球、１８は蛍光灯本体、１９は切欠、２０は電源コード、２１は吊下げ具をそれぞれ示す。
【００１２】
図１は本発明にかかる捕虫器の一実施例を示す正面図、図２は要部を示す図１のＸ−Ｘ線拡大断面図であり、捕虫器１０は一方の面が内周縁を有するように開口された内部に誘引光を発生する光源としての蛍光灯１２（図１上、２本の蛍光灯）を配設した金属製の矩形状筐体１１からなり、前記内周縁に、たとえば、断面Ｔ字状の突出ピン（図１上、５箇所）からなる係合突出具１３が設けられると共に金属線で格子状に組み立てられた略矩形状枠体１４が前記矩形状筐体１１の側壁にビス等で取り付けられた弾性を有する、たとえば、金属板状の図５に示すような枠体係止具１５（図１上、４箇所）で前記一方の面の前面に前記内周縁から一定距離、たとえば、１０ｍｍ程度離した状態で設けられているものである。なお、図１、２に示す捕虫器１０には、後述する虫取り用粘着シート１（図３参照）が粘着剤層３（図３参照）を表出させて前記係合突出具１３に係止されている。また、図１、２上において、符号１６は蛍光灯支持具、符号１７はグロー球、符号１８は内周縁を兼ねる安定器（図示せず）等が収納されている蛍光灯本体、符号１９は切欠、符号２０は電源コードを示す。当然のことであるが、蛍光灯本体１８等の部品はビス等の締結具で前記矩形状筐体１１に固定されているものである。
【００１３】
次に、本発明の捕虫器１０に用いる虫取り用粘着シートについて説明する。図３は本発明に使用する虫取り用粘着シートの一実施例を図解的に示す斜視図であって、虫取り用粘着シート１は剛性のある透明基材シート２の一方の面に粘着剤層３と離型紙４とを順に積層すると共に、少なくとも前記捕虫器１０に設けた前記係合突出具１３に対応する位置に円形状の係合穴５を形成した前記略矩形状枠体１４の外寸と略同じ大きさの矩形状シートである。図３上は、８箇所に円形状の係合穴５を設けたものを示したが、これは、図示はしないが、他方の面も開口された両面に虫取り用粘着シート１を設けるタイプの捕虫器に対応するために設けられているものである。当然、この場合、図示はしないが、金属製矩形状筐体１１の他方の面も内周縁を有するように開口され、前記内周縁には前記一方の面に設けた前記係合突出具１３と開口面に対して面対称となる位置に突出ピンからなる係合突出具１３が設けられていると共に、前記一方の面と同様に他方の面の前面にも略矩形状枠体１４が設けられるように枠体係止具１５が取り付けられているものである。前記剛性のある透明基材シート２としては、ポリプロピレンやポリエステル等の２軸延伸フィルムが適当であり、その厚さとしては５０〜２５０μｍ、好ましくは１００から１５０μｍである。前記離型紙４としては、紙の一方の面、あるいは、ポリエチレンを塗布したポリエチレン塗布紙のポリエチレン面をシリコーン樹脂からなる離型処理剤で処理した周知のものを用いることができる。
【００１４】
また、前記粘着剤層３を形成する粘着剤としては、高分子エラストマーが適当であり、ブチルゴム、ポリイソブチレンゴム、ニトリルゴム、スチレン−ブタジエンゴム、スチレン−イソプレンゴム、スチレン−エチレンプロピレン−スチレンゴム、アクリルゴム、エチレン−プロピレンゴム等の１種ないし２種以上を用いることができ、タック性能と耐フロー性を調整する意味から、これらの高分子エラストマーに液状ポリイソプレン、液状ポリブタジエン、液状ポリイソブチレン、液状ポリブテン等の１種ないし２種以上を添加するのが好ましい。また、必要に応じて、紫外線吸収剤、光安定剤、酸化防止剤、垂れ防止剤、充填剤等の周知の添加剤を添加してもよいものである。前記粘着剤層３の塗布厚さとしては、５０〜２００μｍ、好ましくは７０〜１２０μｍである。塗布厚さが５０μｍより薄い場合は、虫取り用粘着シートに衝突した飛行性昆虫や害虫が粘着力に抗して逃げる虞があり、２００μｍより厚い場合は、費用対効果において顕著な効果が見られないばかりか、加工性や生産性が悪くなる。
【００１５】
次に、前記捕虫器１０の使用方法について説明する。前記捕虫器１０の使用方法としては、最初に前記略矩形状枠体１４を前記枠体係止具１５から外し、前記捕虫器１０の突出ピンからなる前記係合突出具１３に前記虫取り粘着シート１の係合穴５を前記離型紙４が表出するように係止し、その後に前記離型紙４を剥離して前記粘着剤層３を露出させると共に前記略矩形状枠体１４を前記枠体係止具１５に係止し、最後に、所望の場所に図４（ａ）に示すように縦方向に長い状態、あるいは、図４（ｂ）に示すように横方向に長い状態のいずれかの状態でチェーン等の吊下げ具２１を用いて天井等から吊るすなり、あるいは、図４（ｃ）に示すように開口面と対向する面に設けた切欠１９を壁等の突出係止具（図示せず）に挿入して壁等に開口面と対向する面が当接するように設置して使用するものである。当然のことながら、電源コードはコンセントに接続されているものである。
【００１６】
上記したように、前記虫取り用粘着シート１の前記捕虫器１０への取り付けは、前記捕虫器１０に設けた突出ピンからなる前記係合突出具１３に前記係合穴５を係止するだけで取り付けることができ、また、前記虫取り用粘着シート１の交換も前記略矩形状枠体１４を前記捕虫器１０から取り外すと共に、先に取り付けた前記虫取り用粘着シート１を突出ピンからなる前記突出係合具１３から外すと共に、新しい虫取り用粘着シート１を上記と同様に突出ピンからなる前記突出係合具１３に係合穴５を係止し、前記略矩形状枠体１４を前記枠体係止具１５に係止することにより完了するために極めて容易である。また、前記虫取り用粘着シート１で開口が覆われているために、蛍光灯に誘い寄せられた飛行性昆虫や害虫が蛍光灯に衝突することがないために、蛍光灯の照度を落とすということがなく、これに関わるメンテナンスをも不要とすることができる。さらに、前面に前記略矩形状枠体１４を備えた構成のために、粘着面が外的要因、たとえば、衣服等で粘着面を擦るなどして機能低下することを防止することができる
【００１７】
なお、実施例においては、一方の面のみに虫取り用粘着シートを設けるタイプ、すなわち、一方の面のみが開口された筐体からなる捕虫器１０を示したが、先に若干説明した両面が開口され、両面に虫取り用粘着シート１および略矩形状枠体１４を設けるタイプの捕虫器（図示せず）であってもよいものである。また、突出係止具１３を断面Ｔ字状の突出ピンとして、また、虫取り粘着シート１に設ける係合穴５を円形状として今まで説明してきたが、これに限るものではなく、要するに取り外し可能に係止することができる突出係止具１３と係合穴５とからなるものであればよいものであり、さらに突出係止具１３を設ける位置についても矩形状筐体１１の内周縁の２辺に限ることはなく全周に設け、これに対応するように係合穴５を有する虫取り用粘着シートとしてもよいものである。また、前記略矩形状枠体１４は金属製に限ることはなく合成樹脂製であってもよいものである。また、虫取り用粘着シート１は、透明基材シート２や粘着剤層３を捕獲しようとする虫の誘引色に着色して有色透明なシートとしてもよいものであるし、また、透明基材シート２や粘着剤層３を捕獲しようとする虫が好む誘引剤が練り込まれたものとしてもよいものである。
【図面の簡単な説明】
【００１８】
【図１】本発明にかかる捕虫器の一実施例を示す正面図である。
【図２】要部を示す図１のＸ−Ｘ線拡大断面図である。
【図３】本発明にかかる虫取り用粘着シートの一実施例を図解的に示す斜視図である。
【図４】本発明にかかる捕虫器の使用状態の一実施例を示す斜視図である。
【図５】本発明にかかる捕虫器の枠体係止具の一実施例を示す斜視図である。
【符号の説明】
【００１９】
１                                      虫取り用粘着シート
２                                      透明基材シート
３                                      粘着剤層
４                                      離型紙
５                                      係合穴
１０                                    捕虫器
１１                                    金属製矩形状筐体
１２                                    蛍光灯
１３                                    係合突出具
１４                                    略矩形状枠体
１５                                    枠体係止具
１６                                    蛍光灯支持具
１７                                    グロー球
１８                                    蛍光灯本体
１９                                    切欠
２０                                    電源コード
２１                                    吊下げ具
【図１】
2005304312.tif 000003
【図２】
2005304312.tif 000004
【図３】
2005304312.tif 000005
【図４】
2005304312.tif 000006
【図５】
2005304312.tif 000007